(57)【要約】【課題】発光素子からの照明光のちらつきの抑制と、調光制御の良好な応答性とを両立し得る点灯装置を提供する。【解決手段】発光素子５に電力を供給する点灯装置１０であって、発光素子５と直列に接続され、発光素子５を流れる電流を制御する定電流回路（トランジスタＱ２）と、発光素子５及び定電流回路に可変の直流電圧を供給する可変電圧源１５と、発光素子５の調光レベルについての指示を受け取り、受け取った指示に対応する電流が発光素子５を流れるように定電流回路を制御し、発光素子５での電圧降下に係る情報の積分値に基づいて、発光素子５での電圧降下が所定電圧となるような直流電圧が可変電圧源１５から出力されるように可変電圧源１５を制御する制御回路１６とを備え、制御回路１６は、積分値の積分時間を指示が示す調光レベルに応じて変更する。【選択図】図１
2018098104.tif 000002
【特許請求の範囲】
【請求項１】
発光素子に電力を供給する点灯装置であって、
前記発光素子と直列に接続され、前記発光素子を流れる電流を制御する定電流回路と、
前記発光素子及び前記定電流回路に可変の直流電圧を供給する可変電圧源と、
前記発光素子の調光レベルについての指示を受け取り、受け取った前記指示に対応する電流が前記発光素子を流れるように前記定電流回路を制御し、前記発光素子での電圧降下に係る情報の積分値に基づいて、前記発光素子での電圧降下が所定電圧となるような前記直流電圧が前記可変電圧源から出力されるように前記可変電圧源を制御する制御回路とを備え、
前記制御回路は、前記積分値の積分時間を前記指示が示す調光レベルに応じて変更する
点灯装置。
【請求項２】
前記指示が示す調光レベルが所定値未満である場合の方が、前記所定値以上である場合より、前記積分時間が長い
請求項１に記載の点灯装置。
【請求項３】
前記定電流回路は、トランジスタを備える
請求項１又は２に記載の点灯装置。
【請求項４】
請求項１〜３のいずれか１項に記載の点灯装置と、
前記発光素子とを備える
照明器具。
【発明の詳細な説明】
【技術分野】
【０００１】
本発明は、調光レベルを制御できる点灯装置、及び、当該点灯装置を備える照明器具に関する。
【背景技術】
【０００２】
従来、照明光の明るさを変化させることができる照明器具、つまり、調光可能な照明器具が知られている（例えば、特許文献１参照）。
【０００３】
特許文献１に記載の照明器具は、半導体発光素子の状態を検出するとともに、調光手段の出力に応じて、半導体発光素子の電圧−電流特性の動作点を調整することによって、複数の固体発光素子間の照明光強度のばらつきを抑制しようとしている。
【先行技術文献】
【特許文献】
【０００４】
【特許文献１】特開２００９−２３１１４７号公報
【発明の概要】
【発明が解決しようとする課題】
【０００５】
しかしながら、特許文献１に記載された照明器具では、動作点を調整するために検出する電圧がノイズの影響を受け得る。このため、ノイズの影響を受けた検出電圧に基づいて制御を行う場合に、照明光のちらつきが発生し得る。このようなノイズの影響を抑制するために、検出電圧を積分することによって、検出電圧のノイズによる変動を抑制することも考えられる。しかしながら、その場合、調光レベルを変化させる制御の応答が遅くなる。
【０００６】
そこで、本発明は、発光素子からの照明光のちらつき抑制と、調光制御の良好な応答性とを両立し得る点灯装置及びそれを備える照明器具を提供することを目的とする。
【課題を解決するための手段】
【０００７】
上記目的を達成するため、本発明の一態様に係る点灯装置は、発光素子に電力を供給する点灯装置であって、前記発光素子と直列に接続され、前記発光素子を流れる電流を制御する定電流回路と、前記発光素子及び前記定電流回路に可変の直流電圧を供給する可変電圧源と、前記発光素子の調光レベルについての指示を受け取り、受け取った前記指示に対応する電流が前記発光素子を流れるように前記定電流回路を制御し、前記発光素子での電圧降下に係る情報の積分値に基づいて、前記発光素子での電圧降下が所定電圧となるような前記直流電圧が前記可変電圧源から出力されるように前記可変電圧源を制御する制御回路とを備え、前記制御回路は、前記積分値の積分時間を前記指示が示す調光レベルに応じて変更する。
【０００８】
また、上記目的を達成するため、本発明の一態様に係る照明器具は、上記点灯装置と、発光素子とを備える。
【発明の効果】
【０００９】
本発明によれば、発光素子からの照明光のちらつき抑制と、調光制御の良好な応答性とを両立し得る点灯装置及びそれを備える照明器具を提供できる。
【図面の簡単な説明】
【００１０】
【図１】図１は、実施の形態に係る点灯装置及び照明器具の回路構成の一例を示す回路図である。
【図２Ａ】図２Ａは、本実施の形態に係る点灯装置の制御回路によるトランジスタＱ２に対する制御を示すフローチャートである。
【図２Ｂ】図２Ｂは、実施の形態に係る点灯装置の制御回路による可変電圧源に対する制御を示すフローチャートである。
【図３】図３は、実施の形態に係る照明器具の動作例を示すグラフである。
【図４】図４は、比較例に係る照明器具の動作例を示すグラフである。
【図５Ａ】図５Ａは、実施の形態に係る照明器具の外観図である。
【図５Ｂ】図５Ｂは、実施の形態に係る他の照明器具の外観図である。
【発明を実施するための形態】
【００１１】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態）
実施の形態に係る点灯装置及び当該点灯装置を備える照明器具について説明する。
【００１４】
［１．照明器具の構成］
本実施の形態に係る点灯装置及び照明器具の構成について図面を用いて説明する。
【００１５】
図１は、本実施の形態に係る点灯装置１０及び照明器具２０の回路構成の一例を示す回路図である。
【００１６】
照明器具２０は、照明光を発する器具であり、調光機能を備える。図１に示されるように、照明器具２０は、点灯装置１０と、発光素子５とを備える。
【００１７】
発光素子５は、電流の供給を受けて照明光を発する素子であり、例えば、ＬＥＤである。
【００１８】
点灯装置１０は、発光素子５に電力を供給する装置である。点灯装置１０は、調光信号に基づいて発光素子５の調光レベルを制御する。点灯装置１０は、入力回路１１、整流回路１２、可変電圧源１５、トランジスタＱ２、抵抗Ｒ１、及び、制御回路１６を備える。なお、図１には、点灯装置１０に接続される調光器６も合わせて図示されている。
【００１９】
調光器６は、点灯装置１０（より詳しくは、制御回路１６）に対して調光レベルを指示する調光信号を出力する装置である。調光器６は、例えば、ダイヤル、スライダ、操作ボタン、タッチパネル等の入力デバイス、入力デバイスによる指示を読み取る検出回路、指示を調光信号として有線又は無線で出力する信号生成／出力／通信回路等で構成される。
【００２０】
入力回路１１は、交流電力を受け取る回路であり、例えば、商用電源などの系統電源と接続されるコネクタ、パワーフィルタなどで構成される。
【００２１】
整流回路１２は、交流電力を直流電力に変換する回路であり、ブリッジダイオードなどで構成される。
【００２２】
可変電圧源１５は、発光素子５及びトランジスタＱ２に可変の直流電圧を供給する電源である。可変電圧源１５は、整流回路１２から出力される直流電圧を、制御回路１６の第１制御端子１６ａから入力される制御信号に対応する直流電圧に昇圧又は降圧して出力するＳＥＰＩＣ（Ｓｉｎｇｌｅ  Ｅｎｄｅｄ  Ｐｒｉｍａｒｙ  Ｉｎｄｕｃｔｏｒ  Ｃｏｎｖｅｒｔｅｒ）である。
【００２３】
より詳しくは、可変電圧源１５は、ダイオードＤ１、インダクタＬ１及びＬ２、コンデンサＣ１、Ｃ２及びＣ３、並びに、トランジスタＱ１を備えるスイッチング電源である。
【００２４】
コンデンサＣ１は、整流回路１２の二つの出力端子に接続される。インダクタＬ１は、一方の端子が整流回路１２の高電位側の出力端子に接続され、他方の端子が、トランジスタＱ１のドレイン電極に接続される。コンデンサＣ２は、一方の端子がトランジスタＱ１のドレイン電極に接続され、他方の端子がインダクタＬ２の一方の端子に接続される。インダクタＬ２は、一方の端子がコンデンサＣ２の上記他方の端子に接続され、他方の端子が接地される。ダイオードＤ１は、アノード電極がインダクタＬ２の上記一方の端子に接続され、カソード電極が点灯装置１０の高電位側の出力端子に接続される。コンデンサＣ３は、電解コンデンサであり、コンデンサＣ３の正電極は、点灯装置１０の高電位側の出力端子に接続され、負電極は接地される。トランジスタＱ１は、制御回路１６の第１制御端子１６ａから出力される信号に基づいてスイッチングする（すなわちオン及びオフを繰り返す）素子である。本実施の形態ではトランジスタＱ１は、ＮチャネルＭＯＳ（Ｍｅｔａｌ−Ｏｘｉｄｅ  Ｓｅｍｉｃｏｎｄｕｃｔｏｒ）型ＦＥＴ（Ｆｉｅｌｄ−Ｅｆｆｅｃｔ  Ｔｒａｎｓｉｓｔｏｒ）で構成される。
【００２５】
トランジスタＱ２は、発光素子５と直列に接続され、発光素子５を流れる電流を制御する定電流回路の一例であり、例えば、ＮチャネルＭＯＳ型ＦＥＴである。トランジスタＱ２は、ここで生じる電圧降下（ドレイン・ソース間電圧Ｖｄｓ）によって可変電圧源１５から負荷（発光素子５）に印加される電圧を降下させるドロッパー回路としても機能する。
【００２６】
抵抗Ｒ１は、保護用の抵抗素子である。抵抗Ｒ１の抵抗値は、トランジスタＱ２のドレイン・ソース間の抵抗値と比べて十分に小さい。
【００２７】
制御回路１６は、調光器６からの調光信号に基づいて可変電圧源１５及びトランジスタＱ２を制御する回路であり、例えば、マイコン（マイクロコンピュータ）で実現される。マイコンは、プログラムが格納されたＲＯＭ、ＲＡＭ、プログラムを実行するプロセッサ（ＣＰＵ）、タイマ、Ａ／Ｄ変換器やＤ／Ａ変換器を含む入出力回路等を有する１チップの半導体集積回路である。
【００２８】
より詳しくは、制御回路１６は、調光器６から発光素子５の調光レベルについての指示（調光信号）を受け取ると、次の二つの制御を行う。つまり、一つは、受け取った指示に対応する電流が発光素子５を流れるようにトランジスタＱ２を制御する。もう一つは、発光素子５での電圧降下に係る情報の積分値に基づいて、発光素子５での電圧降下が所定電圧となるような直流電圧が可変電圧源１５から出力されるように可変電圧源１５を制御する。また、制御回路１６は、発光素子５での電圧降下に係る情報の積分値の積分時間を前記指示が示す調光レベルに応じて変更する。
【００２９】
ここで、制御回路１６は、可変電圧源１５のトランジスタＱ１の制御端子（ゲート）と接続される第１制御端子１６ａと、トランジスタＱ２の制御端子（ゲート）と接続される第２制御端子１６ｂとを有する。制御回路１６は、第１制御端子１６ａを介して、トランジスタＱ２での電圧降下が所定電圧となるように可変電圧源１５を制御する。一方、制御回路１６は、第２制御端子１６ｂを介して、調光器６からの指示（調光信号）に対応する電流が発光素子５を流れるようにトランジスタＱ２を制御する。
【００３０】
［２．動作］
次に、以上のように構成された本実施の形態に係る点灯装置１０の動作について説明する。ここでは、調光器６からの指示（調光信号）を受け取った制御回路１６の動作を中心に説明する。
【００３１】
制御回路１６は、調光器６から発光素子５の調光レベルについての指示（調光信号）を受け取ると、次の２つの制御を並行して（あるいは、順に）行う。つまり、一つは、受け取った指示に対応する電流が発光素子５を流れるようにトランジスタＱ２を制御する。もう一つは、トランジスタＱ２での電圧降下が所定電圧となるような直流電圧が可変電圧源１５から出力されるように、可変電圧源１５を制御する。
【００３２】
図２Ａは、本実施の形態に係る点灯装置１０の制御回路１６によるトランジスタＱ２に対する制御を示すフローチャートである。
【００３３】
制御回路１６は、調光器６から調光レベルについての指示（調光信号）を受け取ると（Ｓ１０）、調光器６からの指示（調光信号）に対応する電流が発光素子５を流れるように、第２制御端子１６ｂを介してトランジスタＱ２を制御する（Ｓ１１）。
【００３４】
具体的には、制御回路１６は、調光器６からの指示とトランジスタＱ２の制御端子（ゲート）に印加する電圧との対応テーブルを記憶しており、その対応テーブルに従って、調光器６からの指示に対応する電圧をトランジスタＱ２の制御端子（ゲート）に印加する。
【００３５】
このような図２Ａに示された制御によって、調光器６からの指示に対応する電流が発光素子５に流れ、調光制御が行われる。
【００３６】
図２Ｂは、本実施の形態に係る点灯装置１０の制御回路１６による可変電圧源１５に対する制御を示すフローチャートである。
【００３７】
制御回路１６は、調光器６から調光レベルについての指示（調光信号）を受け取ると（Ｓ２０）、その指示が所定の調光レベル以上であるか否かを判断する（Ｓ２１）。
【００３８】
その結果、調光器６からの指示が所定の調光レベル以上である場合には（Ｓ２１でＹｅｓ）、制御回路１６は、発光素子５での電圧降下に係る情報を第１の積分時間で積分する（Ｓ２２）。
【００３９】
より詳しくは、制御回路１６は、発光素子５での電圧降下に係る情報として、発光素子５とトランジスタＱ２との接続点の電圧Ｖｄｓを監視している。制御回路１６は、調光器６からの指示が所定の調光レベル以上である場合には、電圧Ｖｄｓを第１の積分時間で積分した積分値を取得している。
【００４０】
一方、調光器６からの指示が所定の調光レベル未満である場合には（Ｓ２１でＮｏ）、制御回路１６は、発光素子５での電圧降下に係る情報を第１の積分時間より長い第２の積分時間で積分する（Ｓ２３）。つまり、調光器６からの指示が示す調光レベルが所定の調光レベル未満である場合の方が、調光レベルが所定の調光レベル以上である場合より、積分時間が長い。
【００４１】
より詳しくは、調光器６からの指示が所定の調光レベル未満である場合には、制御回路１６は、電圧Ｖｄｓを第１の積分時間より長い第２の積分時間で積分した積分値を取得している。
【００４２】
上述の所定の調光レベルは、発光素子５のノイズなどに起因するちらつきが目立たなくなる程度の調光レベルであればよく、例えば、２０％程度である。ここで、調光レベルの値（％）は、フル点灯（最大の明るさ）を１００％とし、消灯状態を０％とする、明るさに対応した値である。
【００４３】
また、第１の積分時間及び第２の積分時間は、発光素子５のちらつきを抑制できる程度の時間であればよい。
【００４４】
続いて、制御回路１６は、発光素子５での電圧降下に係る情報の積分値が所定電圧となるように可変電圧源１５を制御する（Ｓ２４）。本実施の形態では、制御回路１６は、発光素子５での電圧降下に係る情報として、電圧Ｖｄｓを監視しており、電圧Ｖｄｓが所定電圧となるように、トランジスタＱ１に対して、フィードバック制御をする。
【００４５】
トランジスタＱ１に対する制御は、例えば、トランジスタＱ１のゲート端子に与えられるＰＷＭ信号のオン・デューティを変えることで、つまり、トランジスタＱ１のオンオフの繰り返しにおける１回のオンオフサイクルでのオン時間を変更することによって行われる。
【００４６】
なお、電圧Ｖｄｓは、厳密には、トランジスタＱ２での電圧降下と抵抗Ｒ１の電圧降下との合計である。しかし、抵抗Ｒ１の抵抗値がトランジスタＱ２のドレイン・ソース間の抵抗値より十分小さいので、本実施の形態では、制御回路１６は、発光素子５とトランジスタＱ２との接続点の電圧をトランジスタＱ２での電圧降下とみなして制御している。
【００４７】
制御回路１６におけるトランジスタＱ１のオン・デューティの設定方法は特に限定されないが、例えば以下のように演算によってトランジスタＱ１のオン時間Ｙを設定することができる。
【００４８】
Ｙ＝Ｙｎ−１＋α１×Ｅｎ＋α２×Ｅｎ−1                            （式１）
【００４９】
ここで、Ｙｎ−１は、トランジスタＱ１に適用された過去のオン時間を、Ｅｎは現在の（又は、最新の）電圧Ｖｄｓを、Ｅｎ−１は、過去の電圧Ｖｄｓを、α１は、現在の電圧Ｖｄｓに対する係数を、α２は、過去の電圧Ｖｄｓに対する係数を、それぞれ表す。式１に示される演算を用いることで、例えば、α１が大きく、かつ、α２が小さい場合、オン時間Ｙにおいて、現在の電圧Ｖｄｓの影響が比較的大きくなる。したがって、この例は、比較的短い積分時間を用いる場合に相当する。一方、α１が小さく、かつ、α２が大きい場合、オン時間Ｙにおいて、過去の電圧Ｖｄｓの影響が比較的大きくなる。したがって、この例は、長い積分時間を用いる場合に相当する。
【００５０】
式１で示されるような、オン時間Ｙの演算式を用いることで、異なる積分時間に対応するオン時間Ｙを容易に算出することができる。
【００５１】
続いて、本実施の形態に係る点灯装置１０を備える照明器具２０の動作例について図面を用いて説明する。
【００５２】
図３は、本実施の形態に係る照明器具２０の動作例を示すグラフである。図３のグラフ（ａ）には、発光素子５での電圧降下、すなわち順方向電圧の波形の一例が示されている。図３のグラフ（ｂ）及びグラフ（ｃ）には、それぞれ、グラフ（ａ）に対応する、トランジスタＱ１に印加されるゲート電圧の波形、及び、可変電圧源１５の出力電圧Ｖｄｃの波形が示されている。
【００５３】
図４は、比較例に係る照明器具の動作例を示すグラフである。図４のグラフ（ａ）は、図３のグラフ（ａ）と同じ発光素子５の順方向電圧の波形の一例が示されている。図４のグラフ（ｂ１）及びグラフ（ｃ１）には、それぞれ、グラフ（ａ）に対応する、トランジスタＱ１に印加されるゲート電圧の波形、及び、可変電圧源１５の出力電圧Ｖｄｃの波形が示されている。グラフ（ｂ１）及びグラフ（ｃ１）に示される各波形は、それぞれ制御回路１６で用いられる電圧Ｖｄｓの積分時間として第１の積分時間だけを用いる場合の波形である。図４のグラフ（ｂ２）及びグラフ（ｃ２）には、それぞれ、グラフ（ａ）に対応する、トランジスタＱ１に印加されるゲート電圧の波形、及び、可変電圧源１５の出力電圧Ｖｄｃの波形が示されている。グラフ（ｂ２）及びグラフ（ｃ２）に示される各波形は、それぞれ制御回路１６で用いられる電圧Ｖｄｓの積分時間として第２の積分時間だけを用いる場合の波形である。
【００５４】
図４のグラフ（ｂ１）及びグラフ（ｃ１）に示される例においては、電圧Ｖｄｓの積分時間として比較的短い第１の積分時間を用いるため、出力電圧Ｖｄｃの応答が速い。しかしながら、この例では、調光レベルが２０％未満である場合に、図４のグラフ（ａ）に示される順方向電圧における微小な変動に、図４のグラフ（ｃ１）に示される出力電圧Ｖｄｃが追随する。このため、グラフ（ｃ１）に示される比較例では、照明光においてちらつきが発生する。なお、図４のグラフ（ａ）に示される順方向電圧の微小な変動は、出力電圧Ｖｄｃに含まれるリップルやノイズなどに起因する。
【００５５】
また、図４のグラフ（ｂ２）及びグラフ（ｃ２）に示される例においては、電圧Ｖｄｓの積分時間として比較的長い第２の積分時間を用いるため、グラフ（ｃ２）に示されるように、出力電圧Ｖｄｃにおいて、微小な変動が生じない。しかしながら、この例では、出力電圧Ｖｄｃの順方向電圧に対する応答が遅い。
【００５６】
一方、本実施の形態に係る照明器具２０では、図３のグラフ（ｃ）に示されるように、調光レベルが２０％未満の場合においては、出力電圧Ｖｄｃの微小な変動が抑制されている。つまり、ちらつきが目立ち易い調光レベルにおいても、ちらつきが確認できない程度に出力電圧Ｖｄｃの微小な変動が抑制されている。しかも、本実施の形態に係る照明器具２０では、調光レベルが２０％以上の場合においては、電圧Ｖｄｓの積分時間が比較的短いため、順方向電圧に対する応答が比較的速い。
【００５７】
［３．まとめ］
以上のように、本実施の形態に係る点灯装置１０は、発光素子５に電力を供給する点灯装置１０であって、発光素子５と直列に接続され、発光素子５を流れる電流を制御する定電流回路と、発光素子５及び定電流回路に可変の直流電圧を供給する可変電圧源１５とを備える。点灯装置１０は、さらに、発光素子５の調光レベルについての指示を受け取り、受け取った指示に対応する電流が発光素子５を流れるように定電流回路を制御し、発光素子５での電圧降下に係る情報の積分値に基づいて、発光素子５での電圧降下が所定電圧となるような直流電圧が可変電圧源１５から出力されるように可変電圧源１５を制御する制御回路１６を備える。制御回路１６は、積分値の積分時間を指示が示す調光レベルに応じて変更する。
【００５８】
このような点灯装置１０においては、例えば、制御回路１６において、指示が示す調光レベルが２０％以上である場合には、積分時間を短く、かつ、調光レベルが２０％未満である場合には、積分時間を長くすることが可能となる。したがって、点灯装置１０において、発光素子５からの照明光のちらつきの抑制と、調光制御の良好な応答性とを両立し得る。
【００５９】
また、点灯装置１０において、指示が示す調光レベルが所定値未満である場合の方が、所定値以上である場合より、積分時間が長くてもよい。
【００６０】
これにより、点灯装置１０において、発光素子５からの照明光のちらつきの抑制と、調光制御の良好な応答性とを両立できる。
【００６１】
また、点灯装置１０において、定電流回路は、トランジスタＱ２を備えてもよい。
【００６２】
これにより、点灯装置１０の構成を簡素化することができる。
【００６３】
また、本実施の形態に係る照明器具２０は、点灯装置１０と、発光素子５とを備える。
【００６４】
これにより、照明器具２０は、点灯装置１０と同様の効果を奏することができる。
【００６５】
（その他）
以下、本実施の形態に係る点灯装置１０及び照明器具２０の具体例、変形例などについて説明する。
【００６６】
図５Ａ及び図５Ｂは、それぞれ、本実施の形態に係る照明器具２０ａ及び２０ｂの外観図である。
【００６７】
図５Ａに示される照明器具２０ａは、舞台演出等で用いられるダウンライトであり、回路ボックス２１ａ、灯体２２ａ及び配線２３を備える。回路ボックス２１ａは、上記実施の形態に係る点灯装置１０（図示せず）を収納している金属製のボックスである。灯体２２ａは、発光素子５であるＬＥＤ（図示せず）が装着され、天井等に埋め込んで固定される器具である。配線２３は、回路ボックス２１ａ内の点灯装置１０と灯体２２ａ内のＬＥＤとを電気的に接続するケーブルである。
【００６８】
図５Ｂに示される照明器具２０ｂは、舞台演出等で用いられるスポットライトであり、回路ボックス２１ｂ及び灯体２２ｂを備える。回路ボックス２１ｂは、上記実施の形態に係る点灯装置１０（図示せず）を収納している金属製のボックスであり、専用のレール等に取り付けられる。灯体２２ｂは、発光素子５であるＬＥＤ（図示せず）が装着された器具である。
【００６９】
このような照明器具２０ａ及び２０ｂは、いずれも、発光素子５と、発光素子５に電力を供給する上記実施の形態に係る点灯装置１０とを備える。
【００７０】
これにより、照明器具２０ａ及び２０ｂが備える点灯装置１０では、上述の点灯装置１０と同様の効果を奏する。よって、舞台演出などで要求されるような２０％以下の極めて低い調光レベルで照明光を使用する場合において、ちらつきを抑制することができる。さらに、舞台演出などで要求される速い応答も実現できる。
【００７１】
以上、本発明に係る点灯装置１０及び照明器具２０ａ、２０ｂについて、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００７２】
例えば、上記実施の形態では、発光素子５は、ＬＥＤであったが、これに限られず、有機ＥＬ等の他の発光素子であってもよい。
【００７３】
また、上記実施の形態では、点灯装置１０において、定電流回路としてトランジスタＱ２を用いたが、定電流回路は、これに限定されない。例えば、定電流回路として、可変抵抗を用いてもよい。
【００７４】
また、上記実施の形態では、点灯装置１０は、入力回路１１及び整流回路１２を有したが、これらは必ずしも必要ではない。点灯装置１０は、これらの回路を必要としない、例えば、電池からの直流電圧を入力とする電源回路であってもよい。
【００７５】
また、上記実施の形態では、可変電圧源１５は、ＳＥＰＩＣであったが、これに限られず、外部から制御信号に応じて出力電圧を変化させることが可能な直流電圧源であれば、リニアレギュレータ等の他の電圧源であってもよい。
【００７６】
また、上記実施の形態では、点灯装置１０に保護用の抵抗Ｒ１が用いられたが、この抵抗Ｒ１は、必ずしも必要ではなく、要求仕様により、実装しなくてもよい。
【００７７】
また、上記実施の形態では、制御回路１６は、プログラムを有するマイコンによってソフトウェア的に実現された。しかしながら、このような実現手法に限られず、Ａ／Ｄ変換器、論理回路、ゲートアレイ、Ｄ／Ａ変換器等で構成される専用の電子回路によってハードウェア的に実現されてもよい。
【００７８】
また、上記実施の形態では、制御回路１６では、第１の積分時間及び第２の積分時間だけを用いたが、さらに異なる積分時間も併せて用いてもよい。例えば、調光レベルに反比例する積分時間を用いてもよい。
【００７９】
また、上記実施の形態では、照明器具２０ａ及び２０ｂは、ダウンライト及びスポットライトであったが、このような種類に限られず、シーリングライト、シャンデリア、ペンダントライト、フットライト等の他の種類の照明器具であってもよい。
【００８０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８１】
５  発光素子
１０  点灯装置
１５  可変電圧源
１６  制御回路
Ｑ２  トランジスタ（定電流回路）
【図１】
2018098104.tif 000003
【図２Ａ】
2018098104.tif 000004
【図２Ｂ】
2018098104.tif 000005
【図３】
2018098104.tif 000006
【図４】
2018098104.tif 000007
【図５Ａ】
2018098104.tif 000008
【図５Ｂ】
2018098104.tif 000009